(57)【要約】【課題】手術顕微鏡の周辺のみのドレープを吸引することができる手術顕微鏡装置を提供する。【解決手段】横アーム６の先端側に吸気口１５があるため、横アーム６の先端付近をバンド２０により縛ることにより、手術顕微鏡１４辺のドレープＰだけを吸引することができる。手術顕微鏡１４周辺のドレープＰが吸引されるため術者Ｄの視界が遮られることはない。また横アーム６や縦アーム３を覆うドレープＰは吸引しないため、操作性が損なわれることはない。更に横アーム６等が中空構造のため、その内部を通気路として利用することができ、吸気用のチューブ等を別途用いる必要がない。【選択図】図１
2014039644.tif 000002
【特許請求の範囲】
【請求項１】
スタンド本体に中空構造の縦アームを軸支し、縦アームの上端に中空構造の横アームの基端側を軸支し、横アームの先端側に手術顕微鏡を支持し、手術顕微鏡から縦アームにかけて必要な範囲がドレープにて覆われる手術顕微鏡装置であって、
前記横アームの先端側に吸気口を設け、横アーム又は縦アームに排気手段を設け、吸気口から排気口までの範囲に存在する軸支部が通気可能な構造になっていることを特徴とする手術顕微鏡装置。
【請求項２】
横アームの先端に常に垂直状態が維持される中空の先端部材が軸支され、該先端部材の下端に垂直軸を中心に回転自在な回転体が軸支され、吸気口が回転体の下部に形成され、先端部材と横アームとの軸支部、先端部材と回転体との軸支部が、それぞれ通気可能な状態になっていることを特徴とする請求項１記載の手術顕微鏡装置。
【発明の詳細な説明】
【技術分野】
【０００１】
本発明はドレープで覆って使用する手術顕微鏡装置に関する。
【背景技術】
【０００２】
脳神経外科手術等において使用される手術顕微鏡装置は、手術顕微鏡を空中に釣り下げた状態で支持する。フロアに設置されたスタンド本体に上下方向に延びる縦アームを軸支し、その縦アームの上端に水平方向に延びる横アームの基端側を軸支し、該横アームの先端側に手術顕微鏡を釣り下げて支持する。
【０００３】
手術顕微鏡装置は、手術顕微鏡から横アーム又は縦アームの必要な部分まで、無菌状態にするためにドレープにて覆われる。
【０００４】
このドレープは弛んだ状態だと術者の視界を妨げるため、ドレープ内の空気を吸引してドレープを手術顕微鏡装置に密着させる技術が知られている（例えば、特許文献１参照）
【先行技術文献】
【特許文献】
【０００５】
【特許文献１】特許第２９８８９８０号公報
【発明の概要】
【発明が解決しようとする課題】
【０００６】
しかしながら、このような従来の技術にあっては、手術顕微鏡の周辺だけでなく、横アームを覆うドレープも吸引するため、ドレープが横アームに密着し、横アームの大きな動きが規制されて、操作性を損なうことになる。
【０００７】
本発明は、このような従来の技術に着目してなされたものであり、手術顕微鏡の周辺のみのドレープを吸引することができる手術顕微鏡装置を提供することを目的としている。
【課題を解決するための手段】
【０００８】
請求項１記載の発明は、スタンド本体に中空構造の縦アームを軸支し、縦アームの上端に中空構造の横アームの基端側を軸支し、横アームの先端側に手術顕微鏡を支持し、手術顕微鏡から縦アームにかけて必要な範囲がドレープにて覆われる手術顕微鏡装置であって、前記横アームの先端側に吸気口を設け、横アーム又は縦アームに排気手段を設け、吸気口から排気口までの範囲に存在する軸支部が通気可能な構造になっていることを特徴とする。
【０００９】
請求項２記載の発明は、横アームの先端に常に垂直状態が維持される中空の先端部材が軸支され、該先端部材の下端に垂直軸を中心に回転自在な回転体が軸支され、吸気口が回転体の下部に形成され、先端部材と横アームとの軸支部、先端部材と回転体との軸支部が、それぞれ通気可能な状態になっていることを特徴とする。
【発明の効果】
【００１０】
請求項１記載の発明によれば、横アームの先端側に吸気口があるため、横アームの先端付近をバンド等により縛ることにより、手術顕微鏡周辺のドレープだけを吸引することができる。手術顕微鏡周辺のドレープが吸引されるため術者の視界が遮られることはない。また横アームや縦アームを覆うドレープは吸引しないため、操作性が損なわれることはない。更に横アーム等が中空構造のため、その内部を通気路として利用することができ、吸気用のチューブ等を別途用いる必要がない。
【００１１】
請求項２記載の発明によれば、回転体の垂直が維持されるため、横アーム等を大きく動かしても手術顕微鏡の支持状態も垂直状態が維持される。そのため手術顕微鏡が扱いやすい。また手術顕微鏡の支持状態が垂直に維持されることは手術顕微鏡の動きも最小限に抑えられ、手術顕微鏡周辺のドレープが吸引されても何ら問題は生じない。
【図面の簡単な説明】
【００１２】
【図１】本発明の実施形態に係る手術顕微鏡装置を示す側面図。
【図２】手術顕微鏡周辺のドレープを吸引した状態を示す図１相当の側面図。
【図３】手術顕微鏡周辺を示す斜視図。
【図４】横アームの先端側を示す断面図。
【図５】横アームの基端側を示す断面図。
【発明を実施するための形態】
【００１３】
本発明の好適な実施形態を図１〜図５に基づいて説明する。
【００１４】
スタンド本体１はベース２の上に設置されている。スタンド本体１の上部には、中空構造で上下方向に延びる縦アーム３の途中部分が軸支部Ｊ１にて回転自在に取付けられている。縦アーム３の下端にはバー４を介してカウンタウェイト５が設けられている。
【００１５】
縦アーム３の上端には中空構造で水平方向に延びる横アーム６が連結されている。横アーム６は基端部７が太く形成され、基端部７の軸支部Ｊ２に縦アーム３の上端が連結されている。基端部７の端末と下方のバー４とは縦アーム３と実質的に平行な縦サブアーム８にて連結されている。横アーム６の基端部７には垂直リンク９も設けられている。この垂直リンク９は図示せぬ内部構造により縦アーム３や横アーム６が傾いても常に独立して垂直（鉛直方向）が維持されるようになっている。
【００１６】
横アーム６は先端側へ向け途中が上側に湾曲した状態で延びている。横アーム６の先端は断面Ｌ形をした中空構造の先端部材１０と軸支部Ｊ３を介して連結されている。先端部材１０の上端は前記垂直リンク９の上端と横サブアーム１１にて連結されている。横サブアーム１１は横アーム６と実質的に平行である。
【００１７】
先端部材１０は垂直リンク９と横サブアーム１１にて連結されていることにより常に垂直が維持される。この先端部材１０の下部に矩形ボックス状の回転体１２が軸支部Ｊ４を介して回転自在に設けられている。回転体１２には支持アーム１３を介して手術顕微鏡１４が支持されている。術者Ｄはこの手術顕微鏡１４により患部を拡大観察しながら手術を行うことができる。
【００１８】
以上説明した縦アーム３、横アーム６、先端部材１０、回転体１２は全て中空構造で、図４に示すように、横アーム６と先端部材１０の軸支部Ｊ３、先端部材１０と回転体１２の軸支部Ｊ４にわたって連続した内部空間が画成され通気可能な構造になっている。
【００１９】
すなわち、横アーム６の先端部と先端部材１０の軸支部Ｊ３はベアリングＢを介して回転自在に連結されており、互いに連通状態となっている。
【００２０】
また先端部材１０と回転体１２もベアリングＢを介して回転自在に連結され、回転体１２の下端に開口した状態で吸気口１５が形成され、吸気口１５と先端部材１０の内部空間は連通している。
【００２１】
一方、図５に示すように、横アーム６の基端部７には排気口１６と排気ファン１７から成る排気手段が設けられている。従って、横アーム６から回転体１２にわたって２つの開口を有する１つの閉空間が画成されているため、排気ファン１７で横アーム６の内部の空気が排気されると、横アーム６及び先端部材１０を介して回転体１２の下部の吸引口１５から周辺の空気が吸引される。
【００２２】
次にドレープＰを被せた場合の作用を説明する。
【００２３】
まずドレープＰを手術顕微鏡１４から横アーム６及び縦アーム３に被せる。手術顕微鏡１４の接眼部１４ａはドレープＰから突出させた状態にする。手術顕微鏡１４の対物レンズは図示せぬキャップを嵌める。
【００２４】
また横アーム６と縦アーム３の一部はドレープＰをバンド１８、１９で部分的に縛ばり、垂れた状態を防止する。そして回転体１２の部分はバンド２０によりドレープＰを強く縛る。
【００２５】
この状態で排気ファン１７により排気すると、回転体１２の下部の吸気口１５から手術顕微鏡１４の周辺の空気が吸引され、手術顕微鏡１４周辺のドレープＰだけを吸引することができる。手術顕微鏡１４周辺のドレープＰが手術顕微鏡１４等に密着し、術者Ｄの視界が遮られることはない。また横アーム６や縦アーム３を覆うドレープＰは吸引せず、バンド１８、１９による部分的な縛りのため、横アーム６や縦アーム３の大きな動きが阻害されることはない。
【００２６】
また横アーム６や先端部材１０が中空構造で連続した内部空間を形成しているため、その内部を通気路として利用することができ、吸気用のチューブ等を別途用いる必要がない。
【００２７】
更に、この実施形態では、回転体１２の姿勢（垂直）が維持されるため、横アーム６等を大きく動かしても手術顕微鏡１４の支持状態も垂直状態が維持される。そのため手術顕微鏡１４が扱いやすい。
【００２８】
また手術顕微鏡１４の支持状態が垂直に維持されることは手術顕微鏡１４の動きも垂直軸を中心とした回転だけの最小限に抑えられ、手術顕微鏡１４周辺のドレープＰが吸引されても何ら問題は生じない。
【００２９】
尚、以上の実施形態では、排気手段を横アーム６の基端部７に設ける例を示したが、横アーム６と縦アーム３の軸支部Ｊ２も通気可能な構造にして、排気手段を縦アーム３の内部に設けるようにしても良い。
【符号の説明】
【００３０】
１  スタンド本体
３  縦アーム
６  横アーム
７  基端部
１０  先端部材
１２  回転体
１４  手術顕微鏡
１５  吸気口
１６  排気口（排気手段）
１７  排気ファン（排気手段）
Ｊ１〜Ｊ４  軸支部
Ｄ  術者
Ｐ  ドレープ
【図１】
2014039644.tif 000003
【図２】
2014039644.tif 000004
【図３】
2014039644.tif 000005
【図４】
2014039644.tif 000006
【図５】
2014039644.tif 000007